(57)【特許請求の範囲】
【請求項１】
データを記録保存する少なくとも１枚のディスクと、前記ディスクを支持して回転させるスピンドルモーターと、を有するディスクパックと、
前記ディスクパックが結合されるベースと、
前記ベースの上面を被覆するカバーと、
前記ディスクの上面と対向した位置で、少なくとも前記ディスクの内周（ＩＤ）領域にわたって前記ディスクの半径方向に設けられた、パーティクルを吸着する吸着層を有する第１フィルターと、
前記ディスクの下面と対向した位置で、少なくとも前記内周（ＩＤ）領域にわたって前記ディスクの半径方向に沿って設けられた、前記吸着層を有する第２フィルターと、
前記ディスクが結合されるスピンドルモーターハブと、
を備え、
前記第２フィルターの吸着層は、前記半径方向において前記ディスクの外周領域側と対向し前記ベースに接着される第１部分と、前記半径方向において前記ディスクの前記内周領域側と対向し前記スピンドルモーターハブに接着される第２部分と、に分割されることを特徴とする、ハードディスクドライブ。
【請求項２】
前記第１フィルターの吸着層は、前記カバーの内面に接着されることを特徴とする、請求項１に記載のハードディスクドライブ。
【請求項３】
前記第１フィルターの吸着層は、実質的に前記ディスクの上面に形成された記録面の外周（ＯＤ）領域、中間（ＭＤ）領域及び内周（ＩＤ）領域全体にわたって、前記ディスクの半径方向に沿って配置されていることを特徴とする、請求項２に記載のハードディスクドライブ。
【請求項４】
前記第２フィルターの吸着層のうち少なくとも一部は、前記ベースに接着されることを特徴とする、請求項１に記載のハードディスクドライブ。
【請求項５】
前記ベースは、
前記ハードディスクドライブの最下面を形成する下部プレートと、
前記下部プレートの一領域から前記ディスクに向けて突出され、前記下部プレートに比べて高い段差部と、
を有し、
前記第２フィルターの吸着層の前記第１部分は、前記段差部の上面に接着されることを特徴とする、請求項１に記載のハードディスクドライブ。
【請求項６】
前記スピンドルモーターハブは、前記ディスクが固定されるハブ胴体と、前記ハブ胴体の下部領域から前記ディスクの半径方向外側にさらに延びた外側羽根部と、を有し、
前記第２フィルターの吸着層の前記第２部分は、前記外側羽根部の上面に接着されることを特徴とする、請求項１に記載のハードディスクドライブ。
【請求項７】
前記第２フィルターの吸着層は、実質的に前記ディスクの下面に形成された記録面の外周（ＯＤ）領域、中間（ＭＤ）領域及び内周（ＩＤ）領域全体にわたって、前記ディスクの半径方向に沿って配置されていることを特徴とする、請求項６に記載のハードディスクドライブ。
【請求項８】
前記第１フィルター及び前記第２フィルターは、
前記吸着層の一面に設けられ、前記ディスクに対応する位置に前記吸着層を固定する接着剤層を更に有することを特徴とする、請求項１に記載のハードディスクドライブ。
【請求項９】
前記ディスクは、直径が少なくとも１インチ以下のマイクロドライブ用であることを特徴とする、請求項１に記載のハードディスクドライブ。
【請求項１０】
前記ディスクは、１枚設けられることを特徴とする、請求項９に記載のハードディスクドライブ。
【発明の詳細な説明】
【技術分野】
【０００１】
本発明は、ハードディスクドライブに関する。
【背景技術】
【０００２】
ハードディスクドライブ（Hard  Disk  Drive：以下、ＨＤＤ）は、高速で大量のデータを記録及び再生する記憶装置である。したがって、ＨＤＤは、コンピュータシステムの補助記憶装置として広く使われる。最近では、ノート型パソコン、ＰＤＡ、携帯電話など携帯可能な電子製品に使用可能な小型のＨＤＤに対する開発が要求されており、実際に最近直径が０．８５インチのほぼコインサイズの小型ＨＤＤが開発されて、今後、携帯電話などにも使われる予定である。
【０００３】
通常、ＨＤＤは、データの記録のためのディスクと、ディスクを回転させるスピンドルモーターと、ディスクにデータを記録し、ディスクに記録されたデータを再生するための磁気ヘッドを有するアクチュエーターアームとを備える。
【０００４】
電源が印加されてボイスコイルモーター（ＶＣＭ）に電流が供給されれば、アクチュエーターアームはピボット軸を中心に回動する。これにより、磁気ヘッドは、ディスクの表面に対して浮上して移動しながら、ディスクのデータを読み取ったり書き込んだりする。
【０００５】
ＨＤＤに電源が遮断されてディスクの回転が止められる場合には、ディスクの回転が完全に止められる前に一般的にスライダーに搭載された磁気ヘッドをパーキング領域に移動させることで磁気ヘッドをパーキングさせる。
【０００６】
一方、ＨＤＤは、ほこりや異物などのパーティクルに対して極めて脆弱な構造を有する。例えば、実質的に清潔に維持されたディスクの記録面にパーティクルがくっつけば、データの記録及び再生時にエラーが発生する恐れが高くなり、かつ磁気ヘッドに損傷を与える。
【０００７】
これにより、ＨＤＤの製造の時、通常、パーティクルが実質的に完璧に除去された状態でベースとカバーとが相互組み立てられる。しかし、組み立て過程やあるいは内部に流入される空気などを通じてＨＤＤの内部にパーティクルが浸透してディスク上に残存される。通常、パーティクルは、おおよそ０．３μｍより小さな直径を有する。
【０００８】
したがって、ＨＤＤ内には、パーティクルを除去するためにカバーにフィルターが設けられる。フィルターは、カバーの内面でほぼ一側角領域にかたよって配されて、回転するディスクの外周面外に飛散されるパーティクルをフィルタリングする。このようなフィルターは、狭小な幅を有してディスクの板面に対して垂直に配され、空気濾過方式によってパーティクルをフィルタリングする役割を果たす。
【発明の開示】
【発明が解決しようとする課題】
【０００９】
ところが、回転するディスクでディスクの外周（ＯＤ：Outer  Diameter）領域は、内周（ＩＤ：Inner  Diameter）領域に比べて線速度が早い。したがって、ディスクの外周（ＯＤ）領域に残存するパーティクルは早い流速でディスクの外周面外に飛散された後、フィルターを通過しながらフィルタリングされるが相対的に遅い流速を有する内周（ＩＤ）領域に残存するパーティクルはディスクの外周面外に出ることができずにそのまま該当位置に閉じこめられて磁気ヘッドを損傷させる問題点がある。
【００１０】
特に、直径が１インチ以下のマイクロドライブ（Micro  Drive）の場合には、ディスクのサイズ（Size）が小さく、ディスクの回転数（ＲＰＭ）も低いためにディスク内周（ＩＤ）領域の線速度は低いしかないために、このような場合、低い流速によってディスク内周（ＩＤ）領域に残存するパーティクルはディスクの内周（ＩＤ）領域が表面にそのまま残存する。このような場合、カバーにフィルターが設けられていても、ディスク内周（ＩＤ）領域に残存するパーティクルは全くフィルタリングされていないために磁気ヘッドの損傷を誘発させたり、データの記録及び再生時にエラーを発生させたりするるという問題点があった。また、従来技術の場合には、フィルターが単にカバーにのみ設けられているためにディスクの両側面すべてを記録面として使うＨＤＤの場合、ディスクの下面に残存するパーティクルは全然フィルタリングできない問題点がある。
【００１１】
そこで、本発明は、上記問題に鑑みてなされたものであり、本発明の目的とするところは、ディスクの少なくとも１面側に残存するパーティクルを除去することができ、パーティクルによるエラーの発生を防止することが可能な、新規かつ改良されたハードディスクドライブを提供することにある。
【課題を解決するための手段】
【００１２】
上記課題を解決するために、本発明のある観点によれば、データを記録保存する少なくとも１枚のディスクと、ディスクを支持して回転させるスピンドルモーターと、を有するディスクパックと、ディスクパックが結合されるベースと、ベースの上面を被覆するカバーと、ディスクの両側面のうち少なくともいずれか１面と対向した位置で、少なくともディスクの内周（ＩＤ）領域にわたってディスクの半径方向に設けられた、パーティクルを吸着する吸着層を有する少なくとも１つのフィルターとを備えることを特徴とする、ハードディスクドライブが提供される。
【００１３】
上記ディスクの両側面のうち少なくともいずれか１面と対向して設けられた少なくとも１つのフィルターは、ディスクの上部領域に設けられる第１フィルターと、ディスクの下部領域に設けられる第２フィルターとを有してもよい。
【００１４】
上記第１フィルターの吸着層は、カバーの内面に接着されてもよい。
【００１５】
上記第１フィルターの吸着層は、実質的にディスクの上面に形成された記録面の外周（ＯＤ）領域、中間（ＭＤ）領域及び内周（ＩＤ）領域全体にわたって、ディスクの半径方向に沿って配置されてもよい。
【００１６】
上記第２フィルターの吸着層のうち少なくとも一部は、ベースに接着されてもよい。
【００１７】
上記ディスクが結合されるスピンドルモーターハブを更に備え、第２フィルターの吸着層は、ベースとスピンドルモーターハブとに接着されてもよい。
【００１８】
上記ベースは、ハードディスクドライブの最下面を形成する下部プレートと、下部プレートの一領域からディスクに向けて突出され、下部プレートに比べて高い段差部とを有し、第２フィルターの吸着層は、段差部の上面に接着されてもよい。
【００１９】
上記スピンドルモーターハブは、ディスクが固定されるハブ胴体と、ハブ胴体の下部領域からディスクの半径方向外側にさらに延びた外側羽根部とを有し、第２フィルターの吸着層は、外側羽根部の上面に接着されてもよい。
【００２０】
上記第２フィルターの吸着層は、実質的にディスクの下面に形成された記録面の外周（ＯＤ）領域、中間（ＭＤ）領域及び内周（ＩＤ）領域全体にわたって、ディスクの半径方向に沿って配置されてもよい。
【００２１】
上記フィルターは、吸着層の一面に設けられ、ディスクに対応する位置に吸着層を固定する接着剤層を更に有してもよい。
【００２２】
上記ディスクは、直径が少なくとも１インチ以下のマイクロドライブ用であってもよい。上記ディスクは、１枚設けられてもよい。
【発明の効果】
【００２３】
本発明によれば、ディスクの少なくとも１面側に残存するパーティクルを除去することができ、パーティクルによるエラーの発生を防止することができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
図１は、本発明の一実施形態に係るＨＤＤの部分分解斜視図であり、図２は、図１の概略的な側断面図であり、図３は、図１の平面図である。
【００２６】
これら図面に図示されたように、本発明の一実施形態に係るＨＤＤ１は、データを記録保存する少なくとも一枚のディスク１１と、ディスク１１を支持して回転させるスピンドルモーター１２と、を有するディスクパック１０と、ディスク１１上のデータを読出すヘッドスタックアセンブリー（ＨＡＳ：Head  Stack  Assembly）４０と、これら構成部品が組み立てられたベース５２と、ベース５２の下部に結合されて大部分の回路部品をＰＣＢ（Printed  Circuit  Board）上に装着して各種部品を制御する印刷回路基板組立体（ＰＣＢＡ：Printed  Circuit  Board  Assembly）５０と、ベース５２の上部を覆うカバー５４とを備える。
【００２７】
ヘッドスタックアセンブリー４０は、ピボット軸４０ａと、ピボット軸４０ａによって結合及び支持されるアクチュエーターアーム４２と、ディスク１１上にデータを書き込むか記録されたデータを読取り可能にアクチュエーターアーム４２の端部に支持される磁気ヘッド４１と、ピボット軸４０ａを回転可能に支持してアクチュエーターアーム４２が結合されて支持されるピボット軸ホルダー４３と、ピボット軸ホルダー４３でアクチュエーターアーム４２の反対方向に設けられて図示していないボイスコイルモーター（ＶＣＭ：Voice  Coil  Motor）のマグネットの間に位置するようにボイスコイル４４が巻き取られたボビン（図示せず。）とを含む。
【００２８】
ボイスコイルモーターは、磁気ヘッド４１をディスク１１上の所望の位置に移動させるためにアクチュエーターアーム４２を回動させる一種の駆動モーターである。ボイスコイルモーターは、フレミングの左手の法則、すなわち、磁界の中にある導体に電流を流した時、力が発生する原理を利用しており、マグネットの間に位置するボイスコイル４４に電流を印加することでボビンに力を加えてボビンを回動させる。これにより、ピボット軸ホルダー４３でボビンと反対方向に延びたアクチュエーターアーム４２とが回動されて、その先端に支持された磁気ヘッド４１が回転する。磁気ヘッド４１は、ディスク１１上の半径方向に移動しながらトラック（track）を検索してアクセス（access）し、アクセスされた情報を信号処理する。
【００２９】
詳しく図示していないが、磁気ヘッド４１が搭載されたスライダー（図示せず。）をディスク１１の表面方向に付勢するように支持するサスペンション（図示せず。）の端部には、サスペンションの端部から延びたエンドタップ（図示せず。）が装着されている。電源がオフ（off）にされ、ディスク１１の回転が止められるとき、エンドタップが、ヘッドスタックアセンブリー４０の回転動作に基づいてランプ（Ramp）５６にパーキングされることで、磁気ヘッド４１がディスク１１の表面に接触することを防止する。このようにエンドタップがランプ５６にパーキングされることをいわゆるランプローディング方式と言う。
【００３０】
図１〜図３に図示されたように、本実施形態に係るＨＤＤ１では、ディスクパック１０の一構成としてデータを記録保存するディスク１１は、単一個（１枚）が設けられている。また、本実施形態で採用しているディスク１１は、直径が１インチあるいはそれより小さなマイクロドライブ用としてなっている。このようなディスク１１は、上下両側面すべてに記録面が形成されている。したがって、ヘッドスタックアセンブリー４０の磁気ヘッド４１も一対に設けられて、ディスク１１の上下面すべてに配され、それぞれ該当位置でデータを読み取るか書き込む。ディスク１１の記録面は、図３に図示されたように、外周（ＯＤ）領域、中間（ＭＤ）領域及び内周（ＩＤ）領域に分けられうる。図３の場合、ディスク１１の上面に形成された記録面を図示している。
【００３１】
再び図２を参照すると、ディスクパック１０の他の構成としてスピンドルモーター１２は、ディスク１１を支持するスピンドルモーターハブ２０と、スピンドルモーターハブ２０の上部に結合されるクランプ（Clamp）３０と、クランプ３０を加圧してディスク１１をスピンドルモーターハブ２０に固定させるクランプスクリュー（Clamp  Screw）１６とを含む。スピンドルモーターハブ２０は、外面にディスク１１が固定されるハブ胴体２０ａと、ハブ胴体２０ａの下部領域から半径方向外側にさらに延びた外側羽根部２０ｂとを備える。ディスク１１は、ハブ胴体２０ａの上部領域に固定支持され、その位置で回転できる。
【００３２】
一方、従来技術の場合には、空気の濾過方式によってパーティクルをフィルタリングする狭小なフィルター（図示せず。）がカバー５４の内面の一端の角領域に垂直に設けられていたため、実際はパーティクルの除去効果が大きくなかった。
【００３３】
さらに、線速度の低いディスク１１の内周（ＩＤ）領域に残存するパーティクルはディスク１１の回転の時、ディスク１１の表面から浮上することはあるが、低い流速によってディスク１１の外周面外に飛散されることができず、その位置にそのまま閉じこめられるため、磁気ヘッド４１の損傷問題を誘発させた。
【００３４】
従って、本実施形態では後述するように、ディスク１１の両側面それぞれと隣接した位置に第１及び第２フィルター６１、６２を設けることによって、ディスク１１の外周（ＯＤ）領域はもとより、中間（ＭＤ）領域及び内周（ＩＤ）領域に残存可能なパーティクルまでも吸着して除去している。
【００３５】
このとき、第１及び第２フィルター６１、６２のそれぞれは、従来のような空気濾過方式ではなくパーティクルが吸着される吸着式集塵フィルターとして適用されうる。
【００３６】
したがって、ディスク１１の外周（ＯＤ）領域、中間（ＭＤ）領域及び内周（ＩＤ）領域に残存するパーティクルがディスク１１の回転によってディスク１１の表面から浮上するか飛散されれば、遠く移動しないとしても直ちに第１及び第２フィルター６１、６２に吸着されうる。
【００３７】
このような第１及び第２フィルター６１、６２のそれぞれは、図２に拡大図示したように、パーティクルを吸着する吸着層６１ａ、６２ａと、吸着層６１ａ、６２ａのいずれか一面に形成されて吸着層６１ａ、６２ａを被構造物に接着させる接着剤層６１ｂ、６２ｂとを含む。したがって、第１及び第２フィルター６１、６２のそれぞれを設けられるためのブラケットなどを別に設けずにＨＤＤ１内の該当位置に容易に付けることができる利点がある。これもまた、本実施形態のさらなる効果と言える。
【００３８】
第１及び第２フィルター６１、６２について説明すれば、下記のとおりである。
【００３９】
吸着層６１ａと接着剤層６１ｂとを備える第１フィルター６１は、図２に示すように、カバー５４の内面に接着されている。第１フィルター６１は、ディスク１１とほぼ同一の面積を有し、カバー５４の内面に接着されることもできるが、このような場合、費用が上昇するおそれがある。本実施形態では、第１フィルター６１を図１及び図３のように、ディスク１１の半径方向に沿って配している。
【００４０】
また、第１フィルター６１は、ディスク１１の上面に形成された記録面（図３参照）の外周（ＯＤ）領域、中間（ＭＤ）領域及び内周（ＩＤ）領域すべてをカバーできるほどの長さを有する。このように第１フィルター６１をカバー５４の内面に接着して設けることによって、ディスク１１の回転時にディスク１１の上面の外周（ＯＤ）領域、中間（ＭＤ）領域及び内周（ＩＤ）領域に残存するパーティクルすべてを、第１フィルター６１に吸着させることができる。
【００４１】
第２フィルター６２は、第１フィルター６１と同様に吸着層６２ａと接着剤層６２ｂとを備える。第２フィルター６２は、図２に示すように、ディスク１１の下面に隣接した構造物に接着されている。ここで、ディスク１１の下面に隣接した構造物とは、図２に示すように、ベース５２とスピンドルモーターハブ２０である。
【００４２】
このとき、第２フィルター６２は、図２に示すように、ベース５２とスピンドルモーターハブ２０との該当位置に一体に接着されることもでき、あるいは図４のように、小片に分割されてベース５２とスピンドルモーターハブ２０それぞれに接着されることもできる。
【００４３】
ところで、ベース５２は、最下面を形成する下部プレート５２ａと、下部プレート５２ａの一領域でディスク１１に向けて突出し、下部プレート５２ａに比べて高く形成された段差部５２ｂからなっているが、第２フィルター６２がベース５２に接着される場合であれば、第２フィルター６２は段差部５２ｂの上面に付着されうる。なぜならば、段差部５２ｂの上面がディスク１１の下面と一番隣接した部分であるためである。
【００４４】
もし、図４のように、第２フィルター６２がスピンドルモーターハブ２０に接着される場合であれば、スピンドルモーターハブ２０の外側羽根部２０ｂの上面に設けられることが望ましい。いかなる場合でも、第２フィルター６２は、ディスク１１の下面に最大限隣接するように配され、ディスク１１の下面に形成された記録面の外周（ＯＤ）領域、中間（ＭＤ）領域及び内周（ＩＤ）領域すべてをカバーできるほどの長さを有することがより効果的である。
【００４５】
このような構成を有するＨＤＤ１の作用について説明すれば、次のとおりである。
【００４６】
まず、ＨＤＤ１に電源が印加されてボイスコイル４４に電流が供給されれば、アクチュエーターアーム４２は、ピボット軸４０ａを中心に回動する。これにより、磁気ヘッド４１は、ディスク１１の表面に対して浮上して移動しながら、ディスク１１のデータを読み取るか書き込む。
【００４７】
このような動作において、ディスク１１の両側面すべてに残存しているパーティクルは、ディスク１１の回転によってディスク１１の表面から浮上するかあるいは飛散される。それとともに、パーティクルは、ディスク１１の上部及び下部領域に位置する第１及び第２フィルター６１、６２に吸着される。特に、従来とは異なって、ディスク１１の内周（ＩＤ）領域に残存するパーティクルも、ディスク１１に残らないで第１及び第２フィルター６１、６２に吸着されて除去される。したがって、パーティクルによる磁気ヘッド４１の損傷は防止されうる。
【００４８】
次に、ＨＤＤ１に電源が遮られてディスク１１の回転が止められれば、ボイスコイルモーターがピボット軸４０ａを軸にしてアクチュエーターアーム４２を時計方向に回転させる。これにより、ディスク１１側に位置したエンドタップがランプ５６に定着されることで磁気ヘッド４１のパーキングが完了する。
【００４９】
このように、本発明によれば、ディスク１１の外周（ＯＤ）領域から内周（ＩＤ）領域に至るまでディスク１１の表面に残存するパーティクルが除去されうる。加えて、ディスクの両側面すべてに残存しているパーティクルが除去されうる。したがって、ＨＤＤ１のケーシング内にあるパーティクルを除去することができるので、パーティクルによって磁気ヘッド４１が損傷されることや、データの記録及び再生時にエラーが発生することを阻止できる。
【００５０】
特に、直径が１インチ以下のマイクロドライブでディスク１１の全領域に残存可能なパーティクルを除去することができ、パーティクルによって磁気ヘッド４１が損傷されることや、データの記録及び再生時にエラーが発生することを阻止できる。
【００５１】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５２】
例えば、前述した実施形態では、１枚のディスク１１が設けられたＨＤＤ１について説明したが、２枚以上のディスク１１が設けられたＨＤＤ（図示せず）にも本発明の思想が同様に適用されうる。
【産業上の利用可能性】
【００５３】
本発明は、ハードディスクドライブ関連の技術分野に適用可能である。
【図面の簡単な説明】
【００５４】
【図１】本発明の一実施形態に係るハードディスクドライブの部分分解斜視図である。
【図２】同実施形態に係るハードディスクドライブの概略的な側断面図である。
【図３】同実施形態に係るハードディスクドライブのの平面図である。
【図４】本発明の他の実施形態に係るハードディスクドライブの概略的な側断面図である。
【符号の説明】
【００５５】
１      ＨＤＤ（ハードディスクドライブ）
１０      ディスクパック
１１      ディスク
１２      スピンドルモーター
２０      スピンドルモーターハブ
２０ａ      ハブ胴体
２０ｂ      外側羽根部
３０      クランプ
４０      ヘッドスタックアセンブリー
４１      磁気ヘッド
５０      印刷回路基板組立体
５２      ベース
５２ａ      下部プレート
５２ｂ      段差部
５４      カバー
６１      第１フィルター
６２      第２フィルター
６１ａ、６２ａ      吸着層
６１ｂ、６２ｂ      接着剤層
【図１】
0005165252.tif 000002
【図２】
0005165252.tif 000003
【図３】
0005165252.tif 000004
【図４】
0005165252.tif 000005